(57)【特許請求の範囲】
【請求項１】
ユーザ識別子と、日誌データと、前記日誌データを非表示にする程度を示す非表示レベルとを関連付けた複数のユーザデータを格納するユーザデータ格納部と、
前記非表示レベルと隠蔽画像ファイルとを関連付けた複数の非表示レベルデータを格納する非表示レベルデータ格納部と、
ネットワークを介して、第１ユーザ識別子を含む日誌要求を受信する通信部と、
前記日誌要求に基づいて、日誌画面データを生成する制御部と
を具備し、
前記制御部は、
前記日誌要求に基づいて前記ユーザデータ格納部を参照し、前記複数のユーザデータの中から前記第１ユーザ識別子を含む第１ユーザデータを抽出し、
前記非表示レベルデータ格納部を参照して、前記複数の非表示レベルデータの中から前記第１ユーザデータの第１非表示レベルに対応する第１隠蔽画像ファイルを抽出し、
前記第１隠蔽画像ファイルが前記第１ユーザデータの第１日誌データの一部を隠蔽して表示されるように、前記第１ユーザデータと前記第１隠蔽画像ファイルとを含む前記日誌画面データを生成する
日誌作成装置。
【請求項２】
請求項１に記載の日誌作成装置であって、
前記複数のユーザデータの各々は、前回のアクセスがアクセス推奨期間内に無かったことを示す第１状態と、前記アクセス推奨期間内にあったことを示す第２状態との何れかを示すアクセス情報を更に関連付けており、
前記制御部は、
前記日誌要求に基づいて抽出した前記第１ユーザデータの第１アクセス情報が前記第１状態を示す場合、前記第１状態を示す第１画像ファイルが前記第１隠蔽画像ファイルの上に重ねて表示されるように、前記第１ユーザデータと前記第１隠蔽画像ファイルと前記第１画像ファイルとを含む前記日誌画面データを生成する
日誌作成装置。
【請求項３】
請求項２に記載の日誌作成装置であって、
前記複数のユーザデータの各々は、前記前回のアクセスの日時を表す最終アクセス日時を更に関連付けており、
前記複数の非表示レベルデータの各々は、無アクセス期間の範囲を更に関連付けており、
前記制御部は、
前記日誌要求に基づいて抽出した前記第１ユーザデータの第１最終アクセス日時を、前記日誌要求を受け取った時間に更新し、
予め設定された既定日時であることを確認し、
前記既定日時であることに基づいて、前記第１最終アクセス日時から前記既定日時までの第１無アクセス期間を算出し、
前記第１無アクセス期間が前記アクセス推奨期間を経過している場合、前記第１アクセス情報を前記第１状態に設定し、
前記非表示レベルデータ格納部を参照して、前記第１無アクセス期間に対応する第２非表示レベルを抽出し、
前記第１ユーザデータの前記第１非表示レベルを前記第２非表示レベルに変更する
日誌作成装置。
【請求項４】
請求項３に記載の日誌作成装置であって、
前記制御部は、
前記第１無アクセス期間が前記アクセス推奨期間を経過していない場合、前記第１アクセス情報を前記第２状態に設定し、
前記第１ユーザデータの前記第１非表示レベルを、隠蔽する程度が前記第１非表示レベルよりも少ない第３非表示レベルに変更する
日誌作成装置。
【請求項５】
請求項３又は４に記載の日誌作成装置であって、
前記複数のユーザデータの各々は、品種を識別するための品種識別子を更に関連付けており、
前記ネットワークを介してアップロードされた前記複数のユーザデータの各々の前記日誌データのアップロード数を、前記品種識別子毎に集計して格納するアップロード数格納部と、
前記品種識別子とアップロード数範囲と前記品種を表す品種画像ファイルとを関連付けた複数の画像データを格納する画像データ格納部と
を更に具備し、
前記通信部は、前記ネットワークを介してトップ画面データの要求を受信し、
前記制御部は、
前記トップ画面データの要求に基づいて前記アップロード数格納部を参照し、第１品種識別子の第１アップロード数及び第２品種識別子の第２アップロード数を抽出し、
前記画像データ格納部を参照して、前記第１品種識別子及び前記第１アップロード数に対応する第１品種画像ファイルと、前記第２品種識別子及び前記第２アップロード数に対応する第２品種画像ファイルとを抽出し、
前記第１品種画像ファイル及び前記第２品種画像ファイルが背景画像の所望の位置に表示されるように、前記背景画像と前記第１品種画像ファイルと前記第２品種画像ファイルとを含む前記トップ画面データを生成する
日誌作成装置。
【請求項６】
請求項５に記載の日誌作成装置であって、
所定の期間アクセスが無いユーザ数と個数とを関連付けた複数の個数データを格納する個数データ格納部
を更に具備し、
前記制御部は、
前記トップ画面データの要求に基づいて前記ユーザデータ格納部を参照し、前記複数のユーザデータの各々の前記最終アクセス日時から現在日時までの無アクセス期間を算出し、
前記複数のユーザデータのうちで、前記無アクセス期間が前記所定の期間を経過している前記第１品種識別子を含むユーザデータの数を、前記所定の期間アクセスが無い第１ユーザ数としてカウントし、前記無アクセス期間が前記所定の期間を経過している前記第２品種識別子を含むユーザデータの数を、前記所定の期間アクセスが無い第２ユーザ数としてカウントし、
前記個数データ格納部を参照して、前記第１ユーザ数に対応した第１個数と、前記第２ユーザ数に対応した第２個数とを抽出し、
前記第１個数の前記所定の期間アクセスが無いことを示す第２画像ファイルが前記第１品種画像ファイルの所望の位置に表示され、前記第２個数の前記第２画像ファイルが前記第２品種画像ファイルの所望の位置に表示されるように、前記背景画像と前記第１品種画像ファイルと前記第２品種画像ファイルと前記第２画像ファイルとを含む前記トップ画面データを生成する
日誌作成装置。
【請求項７】
ネットワークを介して受信された第１ユーザ識別子を含む日誌要求を受け取るステップと、
ユーザ識別子と、日誌データと、前記日誌データを非表示にする程度を示す非表示レベルとを関連付けた複数のユーザデータを格納するユーザデータ格納部を参照して、前記複数のユーザデータの中から前記第１ユーザ識別子を含む第１ユーザデータを抽出するステップと、
前記非表示レベルと隠蔽画像ファイルとを関連付けた複数の非表示レベルデータを格納する非表示レベルデータ格納部を参照して、前記複数の非表示レベルデータの中から前記第１ユーザデータの第１非表示レベルに対応する第１隠蔽画像ファイルを抽出するステップと、
前記第１隠蔽画像ファイルが前記第１ユーザデータの第１日誌データの一部を隠蔽して表示されるように、前記第１ユーザデータと前記第１隠蔽画像ファイルとを含む前記日誌画面データを生成するステップと
を具備する
日誌作成方法。
【請求項８】
請求項７に記載の日誌作成方法であって、
前記複数のユーザデータの各々は、前回のアクセスがアクセス推奨期間内に無かったことを示す第１状態と、前記アクセス推奨期間内にあったことを示す第２状態との何れかを示すアクセス情報を更に関連付けており、
前記日誌画面データを生成するステップは、
前記日誌要求に基づいて抽出した前記第１ユーザデータの第１アクセス情報が前記第１状態を示す場合、前記第１隠蔽画像ファイルが前記第１ユーザデータの第１日誌データの一部を隠蔽して表示され、前記第１状態を示す第１画像ファイルが前記第１隠蔽画像ファイルの上に重ねて表示されるように、前記第１ユーザデータと前記第１隠蔽画像ファイルと前記第１画像ファイルとを含む前記日誌画面データを生成する
日誌作成方法。
【請求項９】
請求項８に記載の日誌作成方法であって、
前記複数のユーザデータの各々は、前記前回のアクセスの日時を表す最終アクセス日時を更に関連付けており、
前記複数の非表示レベルデータの各々は、無アクセス期間の範囲を更に関連付けており、
前記日誌要求に基づいて抽出した前記第１ユーザデータの第１最終アクセス日時を、前記日誌要求を受け取った時間に更新するステップと、
予め設定された既定日時であることを確認するステップと、
前記既定日時であることに基づいて、前記第１最終アクセス日時から前記既定日時までの第１無アクセス期間を算出するステップと、
前記第１無アクセス期間が前記アクセス推奨期間を経過している場合、前記第１アクセス情報を前記第１状態に設定するステップと、
前記非表示レベルデータ格納部を参照して、前記第１無アクセス期間に対応する第２非表示レベルを抽出するステップと、
前記第１ユーザデータの前記第１非表示レベルを前記第２非表示レベルに変更するステップと
を更に具備する
日誌作成方法。
【請求項１０】
請求項９に記載の日誌作成方法であって、
前記第１無アクセス期間が前記アクセス推奨期間を経過していない場合、前記アクセス情報を前記第２状態に設定するステップと、
前記第１ユーザデータの前記第１非表示レベルを、隠蔽する程度が前記第１非表示レベルよりも少ない第３非表示レベルに変更するステップと
を更に具備する
日誌作成方法。
【請求項１１】
請求項９又１０に記載の日誌作成方法であって、
前記複数のユーザデータの各々は、品種を識別するための品種識別子を更に関連付けており、
前記ネットワークを介して受信した、トップ画面データの要求を受け取るステップと、
前記トップ画面データの要求に基づいて、前記ネットワークを介してアップロードされた前記複数のユーザデータの各々の前記日誌データのアップロード数を、前記品種識別子毎に集計して格納するアップロード数格納部を参照し、第１品種識別子の第１アップロード数及び第２品種識別子の第２アップロード数を抽出するステップと、
前記品種識別子とアップロード数範囲と前記品種を表す品種画像ファイルとを関連付けた複数の画像データを格納する画像データ格納部を参照して、前記第１品種識別子及び前記第１アップロード数に対応する第１品種画像ファイルと、前記第２品種識別子及び前記第２アップロード数に対応する第２品種画像ファイルとを抽出するステップと、
前記第１品種画像ファイル及び前記第２品種画像ファイルが背景画像の所望の位置に表示されるように、前記背景画像と前記第１品種画像ファイルと前記第２品種画像ファイルとを含む前記トップ画面データを生成するステップと
を更に具備する
日誌作成方法。
【請求項１２】
請求項１１に記載の日誌作成方法であって、
前記トップ画面データの要求に基づいて前記ユーザデータ格納部を参照し、前記複数のユーザデータの各々の前記最終アクセス日時から現在日時までの無アクセス期間を算出するステップと、
前記複数のユーザデータのうちで、前記無アクセス期間が前記所定の期間を経過している前記第１品種識別子を含むユーザデータの数を、前記所定の期間アクセスが無い第１ユーザ数としてカウントするステップと、
前記無アクセス期間が前記所定の期間を経過している前記第２品種識別子を含むユーザデータの数を、前記所定の期間アクセスが無い第２ユーザ数としてカウントするステップと、
所定の期間アクセスが無いユーザ数と個数とを関連付けた複数の個数データを格納する個数データ格納部を参照して、前記第１ユーザ数に対応した第１個数と、前記第２ユーザ数に対応した第２個数とを抽出するステップと
を更に具備し、
前記トップ画面データを生成するステップは、
前記第１品種画像ファイルと前記第２品種画像ファイルとが背景画像の所望の位置に表示され、前記第１個数の前記所定の期間アクセスが無いことを示す第２画像ファイルが前記第１品種画像ファイルの所望の位置に表示され、前記第２個数の前記第２画像ファイルが前記第２品種画像ファイルの所望の位置に表示されるように、前記背景画像と前記第１品種画像ファイルと前記第２品種画像ファイルと前記第２画像ファイルとを含む前記トップ画面データを生成する
日誌作成方法。
【請求項１３】
請求項７乃至１２に記載の方法をコンピュータに実行させる
日誌作成プログラム。
【請求項１４】
第１ユーザ識別子を含む日誌要求を、ネットワークを介して送信する端末装置と、
前記日誌要求を受信して日誌画面データを生成し、生成した前記日誌画面データを前記端末装置に送信する日誌作成装置と
を具備し、
前記日誌作成装置は、
ユーザ識別子と、日誌データと、前記日誌データを非表示にする程度を示す非表示レベルとを関連付けた複数のユーザデータを格納するユーザデータ格納部と、
前記非表示レベルと隠蔽画像ファイルとを関連付けた複数の非表示レベルデータを格納する非表示レベルデータ格納部と、
前記日誌要求を受信し、前記日誌画面データを前記端末装置に送信する通信部と、
前記日誌要求に基づいて、前記日誌画面データを生成する制御部と
を備え、
前記制御部は、
前記日誌要求に基づいて前記ユーザデータ格納部を参照し、前記複数のユーザデータの中から前記第１ユーザ識別子を含む第１ユーザデータを抽出し、
前記非表示レベルデータ格納部を参照して、前記複数の非表示レベルデータの中から前記第１ユーザデータの第１非表示レベルに対応する第１隠蔽画像ファイルを抽出し、
前記第１隠蔽画像ファイルが前記第１ユーザデータの第１日誌データの一部を隠蔽して表示されるように、前記第１ユーザデータと前記第１隠蔽画像ファイルとを含む前記日誌画面データを生成する
日誌作成システム。
【発明の詳細な説明】
【技術分野】
【０００１】
本発明は、動植物の成長を記録する日誌の作成に関する。
【背景技術】
【０００２】
インターネット上には、情報を書き込んだり、閲覧したりする電子掲示板が設けられている。多数の電子掲示板を集めたインターネット上のコミュニティもあり、情報の共有・活用という観点から電子掲示板の利用価値は高まっている。
【０００３】
電子掲示板に関する技術が特許文献１に開示されている。特許文献１に記載の情報処理装置は、仮想空間の所定のデータに対応して３次元的なオブジェクトを表示する手段と、表示されたオブジェクトに対して所定の操作が行われた場合、オブジェクトに対応するデータを再生する再生手段とを含むことを特徴としている。このような情報処理装置は、３次元的な掲示板を提供することにより、返事が多い発言を一見して認識でき、どのような内容であるかも表示できるというものである。
【先行技術文献】
【特許文献】
【０００４】
【特許文献１】特開２００２−２１５５２１号公報
【発明の概要】
【発明が解決しようとする課題】
【０００５】
電子掲示板は、ユーザからの新しい情報が集まることで活性化されていく。しかし、情報の対象が動植物の成長に係る場合では成長による変化が少ないため、新しい情報のアップロード数やアップロード頻度が少ない傾向にある。その結果、動植物の成長の変化を記録する電子掲示板の日誌は、閲覧されるアクセス数も少なくなりやすい。
【０００６】
本発明の目的は、動植物の成長の変化を記録する電子掲示板での日誌に対して、アクセス数を増加するように支援する日誌作成システムを提供することにある。
【課題を解決するための手段】
【０００７】
本発明の日誌作成システムは、第１ユーザ識別子を含む日誌要求を、ネットワークを介して送信する端末装置と、日誌要求を受信して日誌画面データを生成し、生成した日誌画面データを端末装置に送信する日誌作成装置とを具備する。日誌作成装置は、ユーザ識別子と日誌データと日誌データを非表示にする程度を示す非表示レベルとを関連付けた複数のユーザデータを格納するユーザデータ格納部と、非表示レベルと隠蔽画像ファイルとを関連付けた複数の非表示レベルデータを格納する非表示レベルデータ格納部と、日誌要求を受信し、日誌画面データを端末装置に送信する通信部と、日誌要求に基づいて日誌画面データを生成する制御部とを備える。制御部は、日誌要求に基づいてユーザデータ格納部を参照し、複数のユーザデータの中から第１ユーザ識別子を含む第１ユーザデータを抽出し、非表示レベルデータ格納部を参照して、複数の非表示レベルデータの中から第１ユーザデータの第１非表示レベルに対応する第１隠蔽画像ファイルを抽出し、第１隠蔽画像ファイルが第１ユーザデータの第１日誌データの一部を隠蔽して表示されるように、第１ユーザデータと第１隠蔽画像ファイルとを含む日誌画面データを生成する。
【０００８】
本発明の日誌作成装置は、ユーザ識別子と日誌データと日誌データを非表示にする程度を示す非表示レベルとを関連付けた複数のユーザデータを格納するユーザデータ格納部と、非表示レベルと隠蔽画像ファイルとを関連付けた複数の非表示レベルデータを格納する非表示レベルデータ格納部と、ネットワークを介して第１ユーザ識別子を含む日誌要求を受信する通信部と、日誌要求に基づいて日誌画面データを生成する制御部とを具備する。制御部は、日誌要求に基づいてユーザデータ格納部を参照し、複数のユーザデータの中から第１ユーザ識別子を含む第１ユーザデータを抽出し、非表示レベルデータ格納部を参照して、複数の非表示レベルデータの中から第１ユーザデータの第１非表示レベルに対応する第１隠蔽画像ファイルを抽出し、第１隠蔽画像ファイルが第１ユーザデータの第１日誌データの一部を隠蔽して表示されるように、第１ユーザデータと第１隠蔽画像ファイルとを含む日誌画面データを生成する。
【０００９】
本発明の日誌作成方法は、ネットワークを介して受信された第１ユーザ識別子を含む日誌要求を受け取るステップと、ユーザ識別子と日誌データと日誌データを非表示にする程度を示す非表示レベルとを関連付けた複数のユーザデータを格納するユーザデータ格納部を参照して、複数のユーザデータの中から第１ユーザ識別子を含む第１ユーザデータを抽出するステップと、非表示レベルと隠蔽画像ファイルとを関連付けた複数の非表示レベルデータを格納する非表示レベルデータ格納部を参照して、複数の非表示レベルデータの中から第１ユーザデータの第１非表示レベルに対応する第１隠蔽画像ファイルを抽出するステップと、第１隠蔽画像ファイルが第１ユーザデータの第１日誌データの一部を隠蔽して表示されるように、第１ユーザデータと第１隠蔽画像ファイルとを含む日誌画面データを生成するステップとを具備する。
【発明の効果】
【００１０】
本発明の日誌作成システムは、動植物の成長の変化を記録する電子掲示板での日誌に対して、アクセス数を増加するように支援することができる。
【図面の簡単な説明】
【００１１】
【図１】図１は、本発明の実施の形態による日誌作成システム１の構成図である。
【図２】図２は、本発明の実施の形態による端末装置１０のハードウェア構成を示すブロック図である。
【図３】図３は、本発明の実施の形態による日誌作成装置２０のハードウェア構成を示すブロック図である。
【図４】図４は、アップロード数格納部１００が格納する複数のアップロード数データの例である。
【図５】図５は、画像データ格納部１０１が格納する複数の画像データの例である。
【図６】図６は、トマトを表す複数の品種画像ファイルの例である。
【図７】図７は、個数データ格納部１０２が格納する個数データの例である。
【図８】図８は、ユーザデータ格納部１０３が格納する複数のユーザデータの例である。
【図９】図９は、非表示レベルデータ格納部１０４が格納する複数の非表示レベルデータの例である。
【図１０】図１０は、複数の虫食い画像ファイルの例である。
【図１１】図１１は、本発明の日誌作成システム１の実施の形態による、自分の日誌の閲覧、及び、書き込み行う場合の処理動作を示したシーケンス図である。
【図１２】図１２は、トップ画面データの表示例である。
【図１３】図１３は、虫画像ファイルの例である。
【図１４】図１４は、トップ画像データの表示例である。
【図１５】図１５は、ステップＳ０５における日誌画面データの詳細を説明するフローチャートである。
【図１６】図１６は、日誌としての日誌画面データの表示例である。
【図１７】図１７は、日誌画面データの他の表示例である。
【図１８】図１８は、日誌画面データの更に他の表示例である。
【図１９】図１９は、本発明の日誌作成システム１の実施の形態による、他の人の日誌を閲覧する場合の処理動作を示したシーケンス図である。
【図２０】図２０は、メッセージ送信画面データの表示例である。
【図２１】図２１は、本発明の日誌作成システム１の実施の形態による、ユーザデータ格納部１０３を更新する場合の処理動作を示したフローチャートである。
【発明を実施するための形態】
【００１２】
以下、添付図面を参照して本発明の実施の形態による日誌作成システムを説明する。
【００１３】
図１は、本発明の実施の形態による日誌作成システム１の構成図である。図１を参照すると、日誌作成システム１は、複数の端末装置１０と、日誌作成装置２０とを具備する。各装置は、ネットワーク３０を介して接続される。
【００１４】
端末装置１０は、動植物の成長を記録するための日誌（成長日誌）を作成するユーザや、作成された日誌（成長日誌）を閲覧するユーザによって使用されるコンピュータである。端末装置１０は、動植物のある品種の成長状態を表す画像ファイルやテキストデータなどを含む日誌データを、ユーザ入力に基づいて日誌作成装置２０に送信する。日誌作成装置２０は、複数の端末装置１０の各々から複数の日誌データを受信し、受信した複数の日誌データに基づいて、ユーザ毎、品種毎に日誌（成長日誌）を作成する。尚、日誌（成長日誌）は、植物の成長に係るものである場合、栽培日誌として読み替えることができる。また、日誌（成長日誌）の対象は、動植物を主な対象として説明するが、キャラクターの成長に関する日誌であってもよい。
【００１５】
図２は、本発明の実施の形態による端末装置１０のハードウェア構成を示すブロック図である。図２を参照すると、端末装置１０は、入力部１１と、出力部１２と、通信部１３と、記憶部１４と、制御部１５とを備える。
【００１６】
入力部１１は、キーボード、マウス及びボタンなど端末装置１０のユーザが入力のために操作する装置であり、ユーザ入力に基づくコマンド及び信号を制御部１５へ提供する。
【００１７】
出力部１２は、ディスプレイやスピーカであり、制御部１５から提供されるデータを端末装置１０のユーザが認識できるように出力する。
【００１８】
通信部１３は、アンテナ及び信号処理回路などを含み、ネットワーク３０を介してデータを送受信する。
【００１９】
記憶部１４は、ハードディスクやメモリなど、データの記録を行う装置である。記憶部１４は、プログラム格納部１４ａと、データ格納部１４ｂとを備える。プログラム格納部１４ａは、ＣＤ−ＲＯＭ（Ｃｏｍｐａｃｔ  Ｄｉｓｃ  Ｒｅａｄ  Ｏｎｌｙ  Ｍｅｍｏｒｙ）やＤＶＤ（Ｄｉｇｉｔａｌ  Ｖｅｒｓａｔｉｌｅ  Ｄｉｓｃ）等のコンピュータ読み取り可能な記憶媒体から読み取られた本発明に係るプログラム、及び、ネットワーク３０を介してダウンロードされた本発明に係るプログラムを格納する。データ格納部１４ｂは、制御部１５の処理結果、予め設定された本発明に係るデータ、及び、ネットワーク３０を介して日誌作成装置２０から受け取るデータを格納する。
【００２０】
制御部１５は、ＣＰＵ（Ｃｅｎｔｒａｌ  Ｐｒｏｃｅｓｓｉｎｇ  Ｕｎｉｔ）であり、記憶部１４に格納されている本発明に係るプログラムと協働して、本発明に係る各種演算・制御処理を行う。本明細書では、制御部１５のＣＰＵと記憶部１４のプログラムとによって協働して実現される動作を制御部１５が行うものとして説明する。
【００２１】
図３は、本発明の実施の形態による日誌作成装置２０のハードウェア構成を示すブロック図である。図３を参照すると、日誌作成装置２０は、入力部２１と、出力部２２と、通信部２３と、記憶部２４と、制御部２５とを備える。
【００２２】
入力部２１は、キーボード、マウス及びボタンなど日誌作成装置２０の管理者が入力のために操作する装置であり、管理者の入力に基づくコマンド及び信号を制御部２５へ提供する。
【００２３】
出力部２２は、ディスプレイやスピーカであり、制御部２５から提供されるデータを日誌作成装置２０の管理者が認識できるように出力する。
【００２４】
通信部２３は、アンテナ及び信号処理回路などを含み、ネットワーク３０を介してデータを送受信する。
【００２５】
記憶部２４は、ハードディスクやメモリなど、データの記録を行う装置である。記憶部２４は、プログラム格納部２４ａと、データ格納部２４ｂとを備える。プログラム格納部２４ａは、ＣＤ−ＲＯＭやＤＶＤ等のコンピュータ読み取り可能な記憶媒体から読み取られた本発明に係るプログラム、及び、ネットワーク３０を介してダウンロードされた本発明に係るプログラムを格納する。データ格納部２４ｂは、制御部２５の処理結果、予め設定された本発明に係るデータ、及び、ネットワーク３０を介して端末装置１０から受け取るデータを格納する。データ格納部２４ｂは、アップロード数格納部１００と、画像データ格納部１０１と、個数データ格納部１０２と、ユーザデータ格納部１０３と、非表示レベルデータ格納部１０４とを備える。各格納部の詳細は後述する。
【００２６】
制御部２５はＣＰＵであり、記憶部２４に格納されている本発明に係るプログラムと協働して、本発明に係る各種演算・制御処理を行う。本明細書では、制御部２５のＣＰＵと記憶部２４のプログラムとによって協働して実現される動作を制御部２５が行うものとして説明する。
【００２７】
アップロード数格納部１００は、複数のアップロード数データを格納する。図４は、アップロード数格納部１００が格納する複数のアップロード数データの例である。図４を参照すると、アップロードデータは、品種名と、品種識別子と、アップロード数とが関連付けられている。品種名は、トマトやきゅうりなど品種の名称であり、日誌の対象となる動植物の名称である。品種識別子は、品種を識別するための識別子である。アップロード数は、当該品種名（品種識別子）に関連付けられた日誌データが、ネットワーク３０を介して、複数の端末装置１０からアップロードされた数である。このように、アップロード数格納部１００は、ネットワーク３０を介してアップロードされた日誌データのアップロード数を、品種名（品種識別子）毎に集計して格納している。アップロード数格納部１００は、例えば１年などの既定期間でアップロード数をリセットしてもよい。尚、本明細書では、日誌の対象がキャラクターの成長に係る場合、品種名はキャラクターの種類を表すとする。
【００２８】
画像データ格納部１０１は、複数の画像データを格納する。図５は、画像データ格納部１０１が格納する複数の画像データの例である。画像データは、品種識別子と、アップロード数範囲と、品種画像ファイルとが関連付けられている。品種識別子は、アップロード数格納部１００の品種識別子に対応する。アップロード数範囲は、アップロード数格納部１００のアップロード数を、いくつかのグループに分類する範囲である。品種画像ファイルは、複数の品種の各々を表す画像である。尚、複数の品種画像ファイルの各々は、記憶部２４に格納されている。図６は、トマトを表す複数の品種画像ファイルの例である。図６を参照すると、トマトを表す各品種画像ファイルは大きさが異なっている。尚、品種画像ファイルは、品種を表す画像だけを含むものでもよいし、透明な背景を含むものでもよい。このように、画像データ格納部１０１は、品種毎、且つ、アップロード数範囲毎に、大きさ異なる品種画像ファイルを関連付けて格納している。尚、画像データ格納部１０１は、大きさが異なる複数の品種画像ファイルを関連付ける他に、１つの品種画像ファイルと、その表示倍率とを関連づけるようにしてもよい。
【００２９】
個数データ格納部１０２は、複数の個数データを格納する。図７は、個数データ格納部１０２が格納する個数データの例である。個数データは、虫の数と、所定の期間アクセスが無いユーザ数とが関連づけられている。所定の期間アクセスが無いユーザ数は、例えば１４日間、ユーザデータ格納部１０３（詳細は後述する）の自分のユーザデータにアクセスしていないユーザの数を表す。このように、個数データ格納部１０２は、所定の期間アクセスが無いユーザ数と、虫の数とを関連付けている。
【００３０】
ユーザデータ格納部１０３は、複数のユーザデータを格納する。図８は、ユーザデータ格納部１０３が格納する複数のユーザデータの例である。尚、日誌は各ユーザデータに基づいて作成される。ユーザデータは、ユーザ識別子と、ユーザ名と、品種識別子と、最終アクセス日時と、駆除有無（アクセス情報）と、非表示レベルと、複数の日誌データとが関連付けられている。ユーザ識別子は、ユーザを識別するための識別子である。ユーザ名は、日誌を作成しているユーザの名前である。品種識別子は、アップロード数格納部１００の品種識別子に対応する。ユーザ識別子（ユーザ名）と、品種識別子とは１対１で対応しているため、一人のユーザが複数の品種について日誌を作成する場合、ユーザデータ格納部１０３には、同じユーザ識別子を有して品種識別子の異なる複数のユーザデータが存在する。最終アクセス日時は、前回のアクセス日時を表す。言い換えると、最終アクセス日時は、当該ユーザデータのユーザ識別子で表されるユーザが、最後に当該ユーザデータにアクセスした日時を表す。駆除有無（アクセス情報）は、当該ユーザデータのユーザ識別子で表されるユーザが、最終アクセス日時（前回のアクセス日時）からアクセスを推奨する期間（以降、アクセス推奨期間と称する）内に、当該ユーザデータにアクセスしたか否かを表す。駆除有無は、アクセス推奨期間（例えば６日間）内に無い場合、それを示す状態として「無」が設定され、アクセス推奨期間内に有る場合、それを示す状態として「有」が設定される。非表示レベルは、非表示レベルデータ格納部１０４（詳細は後述する）の非表示レベルに対応しており、複数の日誌データの各々を非表示にする程度（度合い）を表す。各日誌データは、品種識別子で表される品種に対する日誌の本文であり、ある日時の成長状態を表す画像ファイルと、当該日時の成長状態に対するコメントを表すテキストデータと、当該日時を表す日時データとを含む。各日誌データは、当該ユーザデータのユーザ識別子で表されるユーザの入力に基づいて、端末装置１０から送信される。
【００３１】
非表示レベルデータ格納部１０４は、複数の非表示レベルデータを格納する。図９は、非表示レベルデータ格納部１０４が格納する複数の非表示レベルデータの例である。非表示レベルデータは、無アクセス期間の範囲と、非表示レベルと、虫食い画像ファイル（隠蔽画像ファイル）とが関連付けられている。無アクセス期間の範囲は、ユーザが自分のユーザデータにアクセスしていない期間（無アクセス期間）を、いくつかのグループに分類する範囲である。無アクセス期間を詳細に説明すると、ユーザデータ格納部１０３のあるユーザデータに対して、当該ユーザデータのユーザ識別子で表されるユーザが、当該ユーザデータにアクセスしていない期間に対応する。尚、無アクセス期間の範囲の中で最短期間（図９では７日）は、アクセス推奨期間（６日間）を経過後の最短期間に相当する。言い換えると、アクセス推奨期間内であれば、非表示レベルは０とし、虫食い画像ファイルも関連付けられていない。非表示レベルは、無アクセス期間の範囲に基づいて分類された、各グループを表す指標である。虫食い画像ファイルは、ユーザデータを日誌として表示するとき、詳細には、日誌の本文である日誌データを表示するとき、日誌データの一部を非表示にするための画像ファイルである。図１０は、複数の虫食い画像ファイルの例である。図１０を参照すると、各虫食い画像ファイルは、日誌データを非表示にするための隠蔽画像１０５ａと、日誌データを表示するための透明画像１０５ｂとを有する。尚、複数の虫食い画像ファイルは、記憶部２４に格納されている。このように、非表示レベルデータ格納部１０４は、無アクセス期間の範囲毎、且つ、非表示レベル毎に、異なる大きさの隠蔽画像１０５ａを含む虫食い画像ファイルが関連づけられている。特に、図９の例では、無アクセス期間が長くなる程、非表示レベルが大きくなり、虫食い画像ファイルの隠蔽画像１０５ａが大きくなるように関連付けられている。また、虫食い画像ファイルは、透明画像１０５ｂを有さず、隠蔽画像１０５ａのみを有するものでもよい。その場合、非表示レベルデータ格納部１０４は、図１０のように大きさの異なる隠蔽画像１０５ａを含む複数の虫食い画像ファイルを関連づける他に、１つの隠蔽画像１０５ａと、その表示倍率とを関連付けるようにしてもよい。
【００３２】
［自分の日誌の閲覧・書き込み］
図１１は、本発明の日誌作成システム１の実施の形態による、自分の日誌の閲覧、及び、書き込み行う場合の処理動作を示したシーケンス図である。図１１を参照して、ユーザが端末装置１０を使用して、自分の日誌の閲覧と書き込みを行う場合を説明する。
【００３３】
ステップＳ０１：
端末装置１０の制御部１５は、ユーザ入力に基づいて、トップ画面データの要求を生成する。通信部１３は、トップ画面データの要求を日誌作成装置２０に送信する。
【００３４】
ステップＳ０２：
日誌作成装置２０の通信部２３は、トップ画面データの要求を受信する。制御部２５は、トップ画面データの要求を受け取り、トップ画面データを生成する。詳細には、制御部２５は、トップ画面データの要求を受け取ると、アップロード数格納部１００（図４）を参照し、品種識別子毎にアップロード数を抽出する。制御部２５は、画像データ格納部１０１（図５）を参照し、アップロード数が含まれるアップロード数範囲を抽出する。更に、制御部２５は、アップロード数範囲と品種識別子とに対応する品種画像ファイルを抽出する。制御部２５は、抽出した品種画像ファイルが背景画像の所望の位置に表示されるように、背景画像と品種画像ファイルとを含むトップ画面データを生成する。制御部２５は、全ての品種識別子に対して同様の処理を行う。
【００３５】
図１２は、トップ画面データの表示例である。制御部２５は、図１２に示すトップ画面データのように、トマト、きゅうり、なす、ピーマンなどの複数の品種画像ファイルが、背景画像（木の画像）の所望の位置に表示されるように、トップ画面データを生成する。
【００３６】
次に、制御部２５は、ユーザデータ格納部１０３（図８）を参照して、所定の期間（例えば１４日）アクセスが無いユーザ数を品種識別子毎にカウントし、品種画像ファイルの上の位置に、カウントした数に基づいた虫画像ファイルが表示されるようにトップ画面データを生成する。詳細には、制御部２５は、ユーザデータ格納部１０３（図８）を参照し、最終アクセス日時と現在日時とに基づいて、最終アクセス日時から現在日時までのアクセスが無い期間（無アクセス期間）を算出する。制御部２５は、算出した無アクセス期間が所定の期間（例えば１４日）を経過している場合、所定の期間アクセスの無いユーザ数として品種識別子に関連付けてカウントする。制御部２５は、全てのユーザデータに対して同様の処理を実行して、品種識別子毎に、所定の期間アクセスが無いユーザ数をカウントする。制御部２５は、個数データ格納部１０２（図８）を参照して、所定の期間アクセスが無いユーザ数に対応する虫の数を抽出する。そして、制御部２５は、所定の期間アクセスが無いことを示す虫画像ファイルを記憶部２４から読み出す。図１３は、虫画像ファイルの例である。制御部２５は、品種画像ファイルが背景画像の所望の位置に表示され、且つ、虫の数の虫画像ファイルが品種画像ファイルの所望の位置に表示されるように、背景画像と品種画像ファイルと虫の数の虫画像ファイルとを含むトップ画面データを生成する。図１２の例では、きゅうりの品種画像ファイルの上に２つの虫画像ファイルが重ねて表示され、トマトの品種画像ファイルの上に１つの虫画像ファイルが重ねて表示されている。通信部２３はトップ画像データを、ネットワーク３０を介して端末装置１０に送信する。
【００３７】
ステップＳ０３：
端末装置１０の通信部１３は、トップ画像データを受信する。制御部１５は、トップ画像データを出力部１２に提供し、出力部１２はユーザが認識できるように表示する。図１４は、トップ画像データの表示例である。図１４に示すように、トップ画面データにはメニューも含まれる。日誌作成装置２０の制御部２５で生成されたトップ画面データは、各品種に対する日誌データのアップロード数を、各品種の画像ファイルの表示される大きさで表現し、所定の期間アクセスが無いユーザ数を、各品種の品種画像ファイルに重ねた虫画像ファイルの数で表している。即ち、本発明の日誌作成システム１では、ユーザはトップ画面データを参照すると、自分の育てている品種の品種画像ファイルの大きさによって、どれくらい新しい情報がアップロードされているのかを認識することができ、更に、自分の育てている品種に付いている虫の数によって、所定の期間アクセスの無いユーザがどれだけいるのかを認識することができる。従って、本発明の日誌作成システム１は、新しい情報のアップロード数を端末装置１０のユーザに認識させることによって、他の品種のユーザとの間での競争心を駆り立て、アップロード数を増加させる効果を奏する。更に、本発明の日誌作成システム１は、所定の期間アクセスしていないユーザがどれだけいるのかを端末装置１０のユーザに認識させることによって、所定の期間（例えば１４日間）アクセスしていない同じ品種を育てている他のユーザに対して、アクセスを促すように働きかける作用があり、結果として、全体のアクセス数を増加させる効果を奏する。アクセスを促す動作については後述する。
【００３８】
ステップＳ０４：
入力部１１は、日誌を作成するためのユーザ入力を制御部１５に提供する。具体的には、入力部１１はトップ画面データ（図１４）に表示されたメニューの「自分の日誌を見る／書く」を、制御部１５に提供する。制御部１５は、ユーザ識別子を含む日誌要求を生成する。尚、日誌要求には、複数の品種識別子が含まれていてもよい。通信部１３は日誌要求を日誌作成装置２０に送信する。
【００３９】
ステップＳ０５：
日誌作成装置２０の通信部２３は日記要求を受信する。制御部２５は、日誌要求に基づいて、日誌要求に含まれるユーザ識別子のユーザデータを含む日誌画面データを生成する。
【００４０】
図１５は、ステップＳ０５における日誌画面データの詳細を説明するフローチャートである。図１５を参照して、日誌画面データの生成について説明する。
【００４１】
ステップＳ４１：
制御部２５は、ネットワーク３０を介して受信されたユーザ識別子を含む日誌要求を通信部２３から受け取る。
【００４２】
ステップＳ４２：
制御部２５は、ユーザデータ格納部１０３（図８）を参照して、日記要求のユーザ識別子を含むユーザデータを抽出する。このとき、該当するユーザデータが複数ある場合は複数のユーザデータを抽出する。また、日誌要求に品種識別子が含まれる場合は、制御部２５はその品種識別子を含むユーザデータを抽出する。
【００４３】
ステップＳ４３：
制御部２５は、非表示レベルデータ格納部１０４（図９）を参照して、ユーザデータの非表示レベルに対応する虫食い画像ファイルを抽出する。尚、制御部２５は、非表示レベルがレベル０の場合は、虫食い画像ファイルを抽出しない。図９の非表示レベルデータ格納部１０４では、無アクセス期間が長くなる程、非表示レベルが大きくなり、虫食い画像ファイルの隠蔽画像１０５ａが大きくなる。つまり、無アクセス期間が長い程、大きな隠蔽画像１０５ａを含む虫食い画像ファイルが抽出される。
【００４４】
ステップＳ４４：
制御部２５は、抽出したユーザデータの駆除有無が「有」と「無」の何れであるかを判断する。
【００４５】
ステップＳ４５：
ステップＳ４４においてユーザデータの駆除有無が「有」の場合、制御部２５は虫画像ファイル（図１３）を読み出さない。
【００４６】
ステップＳ４６：
ステップＳ４４においてユーザデータの駆除有無が「無」の場合、制御部２５はアクセス推奨期間内にアクセスが無かったことを示す虫画像ファイル（図１３）を記憶部２４から読み出す。図１３の虫画像ファイルは、ステップＳ０２において所定の期間アクセスが無いことを示す画像としても用いられた画像である。
【００４７】
ステップＳ４７：
制御部２５は、虫画像ファイルを読み出していない場合、抽出した虫食い画像ファイルがユーザデータの日誌データの一部を隠蔽して表示されるように、ユーザデータと虫食い画像ファイルとを含む日誌としての日誌画面データを生成する。また、制御部２５は、虫画像ファイルを読み出している場合、制御部２５は、抽出した虫食い画像ファイルがユーザデータの日誌データの一部を隠蔽して表示され、且つ、虫画像ファイルが虫食い画像ファイルの上に重ねて表示されるように、ユーザデータと虫食い画像ファイルと虫画像ファイルとを含む日誌としての日誌画面データを生成する。
【００４８】
ステップＳ４８：
制御部２５は日誌画面データを通信部２３に提供し、通信部２３は日誌画面データを端末装置１０に送信する。
【００４９】
図１１のステップＳ０６：
制御部２５は、ユーザデータ格納部１０３を参照して、アクセスしたユーザデータの最終アクセス日時を現在日時に更新する。このとき、ユーザデータの駆除有無が「無」である場合は、制御部２５は駆除有無を「有」に設定してもよい。
【００５０】
ステップＳ０７：
端末装置１０の通信部１３は、日誌画面データを受信する。制御部１５は日誌画面データを出力部１２に提供し、出力部１２はユーザが認識できるように日誌画面データを表示する。図１６は、日誌としての日誌画面データの表示例である。図１６は、ユーザが自分の日誌を前回閲覧してから今回閲覧するまでに、アクセス推奨期間（例えば６日間）が経過していない場合の日誌画面データの表示例である。図１６を参照すると、ユーザデータの日誌データ（画像ファイル（画像）、テキストデータ（コメント）、日時データ（日時））などが表示されている。
【００５１】
図１７は、日誌画面データの他の表示例である。図１７は、ユーザが自分の日誌を前回閲覧してから今回閲覧するまでに、アクセス推奨期間（例えば６日）が経過している場合の日誌画面データの表示例である。図１７を参照すると、ユーザデータの日誌データ（画像ファイル（画像）、テキストデータ（コメント）、日時データ（日時））と、虫食い画像ファイルと、虫画像ファイルとが表示されている。虫食い画像ファイル（隠蔽画像１０５ａ）は、日誌データの画像ファイルの上に、画像ファイルの一部を隠蔽するように重ねて表示されることが好ましい。虫画像ファイルは、虫食い画像ファイル（隠蔽画像１０５ａ）の上に重ねて表示されることが好ましい。ユーザは、図１７のような日誌を参照すると、虫画像ファイルに基づいてアクセス推奨期間内にアクセスしていなかったことを認識でき、虫食い画像ファイルに基づいてアクセス推奨期間からどのくらい経過しているのかを認識できる。
【００５２】
図１８は、日誌画面データの更に他の表示例である。図１８は、ユーザが自分の日誌を前回閲覧してから今回閲覧するまでに、アクセス推奨期間（例えば６日間）が経過していないが、前回閲覧したときに既にアクセス推奨期間（例えば６日間）が経過していた場合の日誌画面データの表示例である。図１８を参照すると、ユーザデータの日誌データ（画像ファイル（画像）、テキストデータ（コメント）、日時データ（日時））と、虫食い画像ファイルとが表示されている。図１８では、今回の閲覧がアクセス推奨期間内であったため、虫画像ファイルは表示されていない。ユーザは、図１８のような日誌を参照すると、虫画像ファイルが無いことに基づいて、アクセス推奨期間内にアクセスしていることを認識できる。尚、本発明は、虫画像ファイルが表示されていない場合、即ち、ユーザがアクセス推奨期間内にアクセスした場合、非表示レベルを段階的に小さくなるように制御する。言い換えると、本発明は、ユーザがアクセス推奨期間内にアクセスした場合、虫食い画像ファイルの隠蔽画像１０５ａを小さいものに変更していく。従って、ユーザは、図１８のような日誌を参照すると、アクセス推奨期間内にアクセスしているために、表示されている虫食い画像ファイル（隠蔽画像１０５ａ）が徐々に小さくなっていることを認識することができる。尚、この変更に係る動作は後述する。
【００５３】
図１６〜図１８に示すように、本発明の日誌作成システム１は、アクセスしていない期間に基づいて、日誌の本文である日誌データに一部を隠蔽する隠蔽画像１０５ａを重ねて表示している。これによって、ユーザにアクセスするように働きかける効果を奏する。特に、本発明は、植物の画像ファイルを虫に食べられたような虫食い画像ファイルで隠蔽し、実際の植物を放置したときと同じ状態を演出できるため、ユーザに対してアクセスするように印象強く働きかける効果を奏する。
【００５４】
ステップＳ０８：
制御部１５は、日誌を書き込むユーザ入力に基づいて、新規の日誌データを生成する。制御部１５は、新規の日誌データ、ユーザ識別子、及び品種識別子を含む登録要求を生成する。通信部１３は、登録要求を日誌作成装置２０に送信する。
【００５５】
ステップＳ０９：
日誌作成装置２０の通信部２３は、登録要求を受信する。制御部２５は、ユーザデータ格納部１０３（図８）を参照して、ユーザ識別子と品種識別子とが同じユーザデータに、新規の日誌データを追加（書き込む）する。制御部２５は、アップロード数格納部１００（図４）を参照して、品種識別子に対応するアップロード数を１増加させる。アップロード数格納部１００の中のアップロード数が増えて、画像データ格納部１０１（図５）のアップロード数に対応するアップロード数範囲が上がる場合、当該品種の品種画像ファイルは１段階大きくなることを意味する。これは、ユーザのアップロードに対する意欲を高める効果を奏している。
【００５６】
尚、制御部２５は、ステップＳ０６において、最終アクセス日時を現在日時に更新している。しかし、最終アクセス日時の更新はこれに限らず、制御部２５は、新規にアップロードされた日誌データを受信したとき（ステップＳ０９）でもよい。
【００５７】
以上説明したように、本発明の日誌作成システム１は、トップページ画面データと日誌画面データとに基づいて、情報のアップロード数やアップロード頻度を増やように、電子掲示板での日誌の作成を支援することができる。詳細には、本発明の日誌作成システム１は、アップロード数を品種画像ファイルの表示される大きさで表現したトップ画面データを生成しているため、どれくらいの数の新しい情報がアップロードされているのかを、閲覧したユーザに容易に認識させることができる。これは特に、他の品種のユーザとの間での競争心を駆り立て、アップロード数やアップロード頻度を増加させる効果を奏する。更に、本発明の日誌作成システム１は、アクセス推奨期間を経過している場合、アクセスしていない期間を反映させて、日誌の本文を隠蔽した日誌画面データを生成しているため、ユーザにアクセスを促すように強く働きかける効果を奏している。
【００５８】
［他の人の日誌の閲覧］
図１９は、本発明の日誌作成システム１の実施の形態による、他の人の日誌を閲覧する場合の処理動作を示したシーケンス図である。図１９を参照して、ユーザが他の人の日誌を閲覧する場合を説明する。
【００５９】
ステップＳ１１：
端末装置１０は、前述の図１０のステップＳ０１〜Ｓ０３と同様の処理動作に基づいて、日誌作成装置２０からトップ画面データを受信する。そして、制御部１５は、トップ画像データを出力部１２に提供し、出力部１２はユーザが認識できるように表示する。
【００６０】
ステップＳ１２：
入力部１１は、他の人の日誌を閲覧するためのユーザ入力を制御部１５に提供する。具体的には、入力部１１はトップ画面データ（図１４）に表示されたメニューの「他の人の日誌を見る」を、制御部１５に提供する。制御部１５は、端末装置１０を操作するユーザのユーザ識別子を含む他の人の日誌要求を生成する。尚、日誌要求には、複数の品種識別子が含まれていてもよい。通信部１３は日誌要求を日誌作成装置２０に送信する。
【００６１】
ステップＳ１３：
日誌作成装置２０の通信部２３は、他の人の日誌要求を受信する。制御部２５は、ユーザデータ格納部１０３を参照し、他の人の日誌要求に含まれるユーザ識別子以外のユーザ識別子を含む複数のユーザデータを抽出する。尚、他の人の日誌要求に品種識別子が含まれる場合、その品種識別子を含む複数のユーザデータを抽出する。日誌作成装置２０は、抽出した複数のユーザデータに基づいて、日誌一覧画面データを生成する。日誌一覧画面データは、ユーザデータの駆除有無の「有」又は「無」の何れであることが分かるように、複数のユーザデータを一覧にしたデータである。制御部２５は、日誌一覧画面データを通信部２３に提供し、通信部２３は日誌一覧画面データを端末装置１０に送信する。
【００６２】
ステップＳ１４：
端末装置１０の通信部１３は、日誌一覧画面データを受信する。制御部１５は日誌一覧画面データを出力部１２に提供し、出力部１２は日誌一覧画面データをユーザが認識できるように出力する。
【００６３】
ステップＳ１５：
入力部１１は、ユーザ入力に基づいて選択された日誌一覧データの中の他の人の日誌を、制御部１５に提供する。制御部１５は、他の人の日誌を見るために、選択した他の人のユーザ識別子を含む他の人の日誌要求を生成する。尚、他の人の日誌要求は、品種識別子や端末装置１０を操作しているユーザのユーザ識別子を含んでいてもよい。制御部１５は他の人の日誌要求を通信部１３に提供し、通信部１３は他の人の日誌要求を日誌作成装置２０に送信する。
【００６４】
ステップＳ１６：
日誌作成装置２０の通信部２３は他の人の日記要求を受信する。制御部２５は、日誌要求に基づいて、日誌要求に含まれるユーザ識別子のユーザデータを含む日誌画面データを生成する。ここでの処理動作は、前述したステップＳ０５と同様である。
制御部２５は、ユーザデータ格納部１０３（図８）を参照して、他の人の日記要求に含まれるユーザ識別子を含むユーザデータを抽出する（該当するユーザデータが複数ある場合は複数のユーザデータを抽出する）。尚、他の人の日誌要求に品種識別子が含まれる場合は、制御部２５はその品種識別子を含むユーザデータを抽出する。制御部２５は、非表示レベルデータ格納部１０４（図９）を参照して、ユーザデータの非表示レベルに対応する虫食い画像ファイルを抽出する。尚、制御部２５は、非表示レベルがレベル０の場合は、虫食い画像ファイルを抽出しない。また、制御部２５は、ユーザデータの駆除有無が「有」の場合、虫画像ファイル（図１３）を読み出さず、駆除有無が「無」の場合、虫画像ファイル（図１３）を記憶部２４から読み出す。制御部２５は、抽出した虫食い画像ファイルがユーザデータの日誌データの一部を隠蔽して表示され、且つ、虫画像ファイルが虫食い画像ファイルの上に重ねて表示されるように、ユーザデータと虫食い画像ファイルと虫画像ファイルを含む日誌画面データを生成する。制御部２５は日誌画面データを通信部２３に提供し、通信部２３は日誌画面データを端末装置１０に送信する。
尚、「他の人の日誌を見る」で自分の日誌を選択した場合（選択したユーザ識別子と、端末装置１０のユーザのユーザ識別子とが同一の場合）、ユーザデータの最終アクセス日時を更新することが好ましい。
【００６５】
ステップＳ１７：
端末装置１０の通信部１３は、日誌画面データを受信する。制御部１５は日誌画面データを出力部１２に提供し、出力部１２はユーザが認識できるように日誌画面データを表示する。ここでの表示例は、図１６〜１７と同様である。ユーザは、日誌画面データの虫画像ファイルに基づいて、アクセス推奨期間内にアクセスしているか否かを認識することができる。また、虫画像ファイルが有る状態では、無アクセス期間が長くなるほど、日誌データに重ねられる虫食い画像ファイルが大きくなため、ユーザはどのくらい無アクセス期間が長いのかも認識することができる。入力部１１は、他の人にメッセージを送信するためのユーザ入力を制御部１５に提供する。具体的には、入力部１１はトップ画面データ（図１４）に表示されたメニューの「メッセージを送る」を、制御部１５に提供する。制御部１５は、端末装置１０を操作するユーザのユーザ識別子と、メッセージの宛先となるユーザ識別子とを含むメッセージ送信画面要求を生成する。通信部１３はメッセージ送信画面要求を日誌作成装置２０に送信する。
【００６６】
ステップＳ１８：
日誌作成装置２０の通信部２３はメッセージ送信画面要求を受信する。制御部２５は、メッセージ送信画面要求に基づいて、メッセージ送信画面データを通信部２３に提供する。通信部２３は、メッセージ送信画面データを端末装置１０に送信する。
【００６７】
ステップＳ１９：
端末装置１０の通信部１３は、メッセージ送信画面データを受信する。制御部１５はメッセージ送信画面データを出力部１２に提供し、出力部１２はユーザが認識できるようにメッセージ送信画面データを表示する。図２０は、メッセージ送信画面データの表示例である。図２０を参照すると、メッセージを送信するユーザ識別子がＦｒｏｍに設定され、メッセージの宛先となるユーザ識別子がＴｏに設定されている。
【００６８】
ステップＳ２０：
入力部１１は、メッセージ内容のユーザ入力を制御部１５に提供する。制御部１５は、入力部１１からユーザ入力を受け取り、端末装置１０を操作するユーザのユーザ識別子と、メッセージの宛先となるユーザ識別子と、メッセージの内容とを含むメッセージを生成する。通信部１３は、メッセージを日誌作成装置２０に送信する。通信部１３は、メッセージを日誌作成装置２０に送信する。
【００６９】
ステップＳ２１：
日誌作成装置２０の通信部２３は、メッセージを受信する。制御部２５は、メッセージの宛先のユーザ識別子を対応するアドレスに変更し、送信元のユーザ識別子を対応するアドレスに変更する。通信部２３は、メッセージを宛先に基づいて送信する。
【００７０】
以上のように、本発明の日誌作成システム１は、トップ画面データと他の人の日誌画面データに基づいて、電子掲示板での日誌に対するアクセス数を増やすことができる効果を奏する。詳細には、本発明の日誌作成システム１は、所定の期間アクセスが無いユーザ数を虫画像ファイルの数で表したトップ画面データを生成しているため、どれだけのユーザが所定の期間アクセスしていなのかを、閲覧したユーザに容易に認識させることができる。即ち、本発明は、トップ画面データを閲覧したユーザに、所定の期間アクセスしていない他のユーザを容易に認識させることができるため、連絡を取るように促す作用がある。結果として、本発明の日誌作成システム１は、全体のアクセス数を増加させる効果を奏している。
【００７１】
［ユーザデータ格納部１０３の更新］
図２１は、本発明の日誌作成システム１の実施の形態による、ユーザデータ格納部１０３を更新する場合の処理動作を示したフローチャートである。図２１を参照して、ユーザデータ格納部１０３の更新に係る処理動作を説明する。本処理動作は、日誌作成装置２０で実行される。
【００７２】
ステップＳ３１：
制御部２５は、既定の日時（例えばＡＭ２：００など）であることを確認する。更新処理は、１日に１回実行するなど、所定の時間毎に実行することが好ましい。
【００７３】
ステップＳ３２：
制御部２５は、ユーザデータ格納部１０３（図８）を参照し、最終アクセス日時と現在日時とに基づいて、最終アクセス日時から現在日時までの無アクセス期間を算出する。
【００７４】
ステップＳ３３：
制御部２５は、算出した無アクセス期間がアクセス推奨期間（例えば６日）を経過しているか否かを判定する。
【００７５】
ステップＳ３４：
無アクセス期間がアクセス推奨期間を経過している場合（ステップＳ３３−ＹＥＳ）、制御部２５はユーザデータの駆除有無を「無」に設定する。このとき、既にユーザデータの駆除有無が「無」である場合は、制御部２５は駆除有無を「無」のままにする。
【００７６】
ステップＳ３５：
制御部２５は、非表示レベルデータ格納部１０４（図９）を参照し、算出した無アクセス期間に対応する非表示レベルを抽出する。制御部２５は、ユーザデータの非表示レベルを抽出した非表示レベルに変更する。
【００７７】
ステップＳ３６：
一方、無アクセス期間がアクセス推奨期間を経過していない場合（ステップＳ３３−ＮＯ）、制御部２５はユーザデータの駆除有無を「有」に設定する。このとき、既にユーザデータの駆除有無が「有」である場合は、制御部２５は駆除有無を「有」のままにする。
【００７８】
制御部２５は、ユーザデータの非表示レベルを、１つ少ないレベルに変更する、又は、レベル０であればレベル０のままに維持する。
【００７９】
本動作が全てのユーザデータに対して行われ、ユーザデータ格納部１０３が更新される。その結果、ユーザデータに基づいて表示される日誌画面データや一覧表示画面データは、虫画像ファイルの表示・非表示が変更され、特に、日誌画面データは、虫食い画像ファイルの表示・非表示（表示の場合は隠蔽画像１０５ａの大きさ）が変更される。尚、成長の記録を終了しているユーザデータの更新は行わないようにすることが好ましい。
【００８０】
このように、本発明の日誌作成システム１は、最終アクセス日時からアクセス推奨期間を経過しているユーザデータに対して、虫画像ファイル（図１３）を設定できるため、閲覧したユーザにアクセスを促すように知らせることができる効果を奏する。しかも、本発明の日誌作成システム１は、アクセス推奨期間からの経過期間に基づいて、非表示レベルを１段階大きい非表示レベル、即ち、日誌データを非表示にする程度（度合い）が高くなるように設定することができ、閲覧したユーザにアクセスを促すように強く印象付けることができる。一方、本発明の日誌作成システム１は、アクセス推奨期間内にアクセスされたユーザデータに対して、虫画像ファイルを設定せず、非表示レベルを１段階小さい非表示レベル、即ち、日誌データを表示する程度（度合い）が高くなるように設定することができる。特に、本発明は、隠蔽された植物の画像ファイルを徐々に元の画像ファイルに戻すことで、実際の植物が成長したような状態を演出できるため、ユーザに対してアクセスした効果を強く印象付けることができる。即ち、本発明は、閲覧したユーザにアクセスに対する効果を表現することができるため、ユーザに対してアクセスすることへの効果的な動機付けを行うことができる。
【００８１】
尚、本発明の実施の形態の処理動作において、各要求やデータにユーザ識別子を含めて送信しているが、予め定めたタイミング（サービス開始、書き込み、アップロードのタイミング）で、ユーザ識別子を用いた認証を行い、以降はｃｏｏｋｉｅなどでユーザを識別してもよい。
【００８２】
また、本発明は、日誌として野菜を例に説明したが、野菜などの植物以外でも、ペットなどの動物にも適用することができる。また、ゲームのキャラクターの成長記録にも適用することができる。
【００８３】
また、画像データ格納部１０１（図５）のアップロード数範囲や、個数データ格納部１０２（図７）の所定の期間アクセスが無いユーザ数、非表示レベルデータ格納部１０４（図９）の無アクセス期間の範囲、非表示レベルを１減らす間隔などの各種パラメータは、公開でも非公開としてもよく、固定ではなく変更可能に構成してもよい。例えば、季節（月）や天気などの情報に連動して、パラメータを記定数増現する手段を日誌作成装置２０に設けても良い。
【００８４】
［効果］
本発明の日誌作成システム１による第１の効果は、アップロード数を品種画像ファイルの表示される大きさで表現したトップ画面データを生成しているため、どれくらいの数の新しい情報がアップロードされているのかを、閲覧したユーザに容易に認識させることができ、これによって他の品種のユーザとの間での競争心を駆り立て、アップロード数やアップロード頻度を増加させる効果を奏する。
第２の効果は、アクセス推奨期間を経過している場合、アクセスしていない期間を反映させて、日誌の本文を隠蔽した日誌画面データを生成しているため、ユーザにアクセスを促すように強く働きかける効果を奏している。
第３の効果は、品種毎に所定の期間アクセスしていないユーザの数を、品種画像ファイルの上に重ねて表示される虫画像ファイルとして表現したトップ画面データを生成しているため、所定の期間アクセスの無いユーザがどれだけいるのかを、閲覧したユーザに容易に認識させることができる。これは、同じ品種を育てている他のユーザに対して、アクセスしていないユーザに対してアクセスを促すように働きかける作用があり、結果として、全体のアクセス数を増加させる効果を奏する。
以上説明したように、本発明による日誌作成システム１は、電子掲示板での日誌の作成について、新しい情報のアップロード数やアップロード頻度を増やし、更に、アクセス数も増加するように支援することができる。
【符号の説明】
【００８５】
１      日誌作成システム
１０    端末装置
１１    入力部
１２    出力部
１３    通信部
１４    記憶部
１４ａ  プログラム格納部
１４ｂ  データ格納部
１５    制御部
２０    日誌作成装置
２１    入力部
２２    出力部
２３    通信部
２４    記憶部
２４ａ  プログラム格納部
２４ｂ  データ格納部
２５    制御部
３０    ネットワーク
１００  アップロード数格納部
１０１  画像データ格納部
１０２  個数データ格納部
１０３  ユーザデータ格納部
１０４  非表示レベルデータ格納部
１０５ａ  隠蔽画像
１０５ｂ  透明画像
【図１】
0005320432.tif 000002
【図２】
0005320432.tif 000003
【図３】
0005320432.tif 000004
【図４】
0005320432.tif 000005
【図５】
0005320432.tif 000006
【図６】
0005320432.tif 000007
【図７】
0005320432.tif 000008
【図８】
0005320432.tif 000009
【図９】
0005320432.tif 000010
【図１０】
0005320432.tif 000011
【図１１】
0005320432.tif 000012
【図１２】
0005320432.tif 000013
【図１３】
0005320432.tif 000014
【図１４】
0005320432.tif 000015
【図１５】
0005320432.tif 000016
【図１６】
0005320432.tif 000017
【図１７】
0005320432.tif 000018
【図１８】
0005320432.tif 000019
【図１９】
0005320432.tif 000020
【図２０】
0005320432.tif 000021
【図２１】
0005320432.tif 000022